(57)【要約】【課題】アラーム通知に必要な出力端子部の端子数を減らし、且つ、短時間で管理部が異常内容等を認識することが可能となる光送受信器およびアラーム通知方法を提供する。【解決手段】光信号を送信または受信する光送受信器であって、一以上の異常を検知する異常検知部と、外部へアラームを通知するための複数の端子を含む出力端子部と、異常検知部によって検知された異常に応じて当該複数の端子それぞれに印加する電圧の組み合わせを選択する制御部とを有する。【選択図】      図２
2011124670.tif 000002
【特許請求の範囲】
【請求項１】
光信号を送信または受信する光送受信器であって、
一以上の異常を検知する異常検知部と、
外部へアラームを通知するための複数の端子を含む出力端子部と、
検知された前記異常に応じて前記複数の端子それぞれに印加する電圧の組み合わせを選択する制御部とを有することを特徴とする光送受信器。
【請求項２】
前記電圧は、ＨｉｇｈとＬｏｗとから選択されたいずれかであることを特徴とする請求項１記載の光送受信器。
【請求項３】
前記検知された異常が二以上の場合、前記制御部は、所定の優先順位に従って前記異常のうち一つを選択し、選択した異常に応じて前記組み合わせを選択することを特徴とする請求項１に記載の光送受信器。
【請求項４】
前記二以上の異常の間に原因と結果の関係がある場合、前記優先順位として、前記原因側の異常が前記結果側の異常より高く設定されることを特徴とする請求項３に記載の光送受信器。
【請求項５】
光信号を送信または受信する光送受信器を備える光通信装置であって、
前記光送受信器は、
一以上の異常を検知する異常検知部と、
外部へアラームを通知するための複数の端子を含む出力端子部と、
検知された前記異常に応じて前記複数の端子それぞれに印加する電圧の組み合わせを選択する制御部とを有することを特徴とする光通信装置。
【請求項６】
光信号を送信または受信する光送受信器のアラーム通知方法であって、
前記光送受信器において、一以上の異常を検知する工程と、
複数の端子を含む出力端子部に外部へアラームを通知するための電圧を印加する工程と、
検知された前記異常に応じて前記複数の端子のそれぞれに印加する電圧の組み合わせを選択する工程とを含むことを特徴とするアラーム通知方法。
【発明の詳細な説明】
【技術分野】
【０００１】
本発明は、光送受信器で検知した異常に応じてアラームを光送受信器の外部へ通知する方法、その光送受信器およびその光送受信器を備える光通信装置に関する。
【背景技術】
【０００２】
光通信システム中のノードやターミナル等として用いられる光通信装置に対する省スペース化の要求により、光通信装置の小型化が進められている。これに伴い光通信装置に内蔵される光送受信器のパッケージサイズの一層の小型化が進められている。光送受信器が小型化されるに従い、設置サイズ上の制約や低コスト化等の理由により、光送受信器の外部と通信接続するための出力端子部の端子数がより少ないものが用いられてきている。例えば、１０Ｇｂｐｓ光送受信器においては、従来の３００ｐｉｎ型光送受信器では出力端子数が３００個であったのに対し、現在主流となってきている小型光送受信器の標準規格の1つであるＸＦＰ  ＭＳＡ（10 Gigabit (X) Small Form Factor Pluggable Multi Source Agreement）に準拠した光送受信器では、出力端子数が３０個と大幅に減少したものが用いられている。さらに、トランスポンダ用波長可変レーザモジュールの標準規格の1つであるＩＴＬＡ  ＭＳＡ（Integrable Tunable Laser Assembly Multi Source Agreement）に準拠した光送信器においては、出力端子数は１４個と減少の一途をたどっている。
【０００３】
一方、光通信装置では、通常、光通信装置内に備えられ装置全体を管理する管理部が装置内の異常の集中管理を行う。そのため、光通信装置内の光送受信機能を司る光送受信器は、光送受信器に関する異常を自ら検知した場合、検知した異常の内容等の情報をアラームとして管理部へ通知（以下、「アラーム通知」と呼ぶ）する必要がある。アラーム通知は、光送受信器に備えられた出力端子を介して行われる。さらに出力端子に接続されたケーブルあるいはコネクタ基板等を介して管理部へ通知される。
【０００４】
光送受信器から管理部へアラームを通知するための構成としては、例えば、非特許文献１に開示されている。非特許文献１によると、光送受信器の一つの出力端子に一つの異常の内容通知機能を割り当て、対応する出力端子に印加される電圧のＨｉｇｈ／Ｌｏｗで、割り当てられた異常の発生を管理部に認識させる方法が開示されている。すなわち、管理部は、出力端子がＨｉｇｈ状態であればその出力端子に割り当てられた異常が発生したと認識し、Ｌｏｗ状態であればその出力端子に割り当てられた異常はないと認識する。このような構成により、管理部では各端子の電圧のＨｉｇｈ／Ｌｏｗを認識するだけでアラームの有無とその内容を同時に認識することが可能となる。したがって、タイミング同期等の複雑な制御を必要とすることなく、短時間でアラームを認識することが可能となる。
【０００５】
さらに、非特許文献１には、一つの端子を介してシリアル伝送を行い、複数のアラームを通知する構成も開示されている。より具体的には、まず、光送受信器は異常を検出すると、第一の出力端子を介して管理部に、異常が発生したことを示すトリガ信号を送信する。管理部はトリガ信号を検知すると、光送受信器の第二の出力端子を介してバス通信を行い異常情報等を収集する。具体的には、管理部から光送受信器へ第二の出力端子を介して制御信号を送信し、光送受信器内の制御部を制御して、異常内容等の情報を示すデータ信号を管理部へ送信させる。制御信号やデータ信号は、バスを介してシリアル通信によって送られる。このような構成により、少数の出力端子で複数のアラーム通知を行うことが可能となる。
【０００６】
【非特許文献１】光送受信器  XFP-MSA SFF Committee,INF-8077i,「10 Gigabit Small Form Factor Pluggable Module」 (http://www.xfpmsa.org/cgi-bin/msa.cgi)
【発明の開示】
【発明が解決しようとする課題】
【０００７】
しかしながら、上記非特許文献１の前者の方法では、異常の内容が複数ある場合、その異常の数と同数の出力端子を確保する必要がある。したがって、出力端子数が制約された場合、アラームの通知に必要な出力端子の数が不足するといった問題があった。
【０００８】
一方、上記非特許文献１の後者の方法では、光送受信器から管理部へのトリガ信号の送信の後に管理部から光送受信器へ制御信号が送信され、その後、光送受信器から管理部へデータが送信されるというより多くの工程を要する。したがって、光送受信器が異常を検知してから管理部が異常の内容を認識するまでに比較的時間を要するという問題があった。
【０００９】
本発明の目的は、上述の課題、すなわち、光送受信器の一つの出力端子に一つの異常の内容通知機能を割り当てたような場合等に起こる出力端子の数が不足するという課題や、一つの端子でシリアル伝送を行いアラームを通知するような場合等に、管理部が異常内容等を認識するまでに比較的時間を要するという課題のいずれかまたは両方を解消するアラーム通知方法、光送受信器および光通信装置を提供することにある。
【課題を解決するための手段】
【００１０】
本発明の光送受信器は、光信号を送信または受信する光送受信器であって、一以上の異常を検知する異常検知部と、外部へアラームを通知するための複数の端子を含む出力端子部と、検知された前記異常に応じて前記複数の端子それぞれに印加する電圧の組み合わせを選択する制御部とを有することを特徴としている。
【００１１】
また、本発明の光通信装置は、光信号を送信または受信する光送受信器を備える光通信装置であって、前記光送受信器は、一以上の異常を検知する異常検知部と、外部へアラームを通知するための複数の端子を含む出力端子部と、検知された前記異常に応じて前記複数の端子それぞれに印加する電圧の組み合わせを選択する制御部とを有することを特徴としている。
【００１２】
さらに、本発明のアラーム通知方法は、光信号を送信または受信する光送受信器のアラーム通知方法であって、前記光送受信器において、一以上の異常を検知する工程と、複数の端子を含む出力端子部に外部へアラームを通知するための電圧を印加する工程と、検知された前記異常に応じて前記複数の端子のそれぞれに印加する電圧の組み合わせを選択する工程とを含むことを特徴としている。
【発明の効果】
【００１３】
本発明によれば、光送受信器の一つの出力端子に一つの異常の内容通知機能を割り当てたような場合に比べアラーム通知に必要な出力端子部の端子数を減らすことが可能となる。また、一つの端子でシリアル伝送を行いアラームを通知するような場合に比べ短時間で管理部が異常内容等を認識することが可能となる。
【発明を実施するための最良の形態】
【００１４】
本発明の実施形態について図面を参照して説明する。
【００１５】
図１は、本発明の実施形態に係る光通信装置１００の機能ブロック図である。光通信装置１００は、光信号を用いて外部と通信を行う光送受信器１０１および光通信装置１００に関する異常を管理する管理部１０３を備える。光送受信器１０１は、光送受信器１０１に備えられた出力端子部１０２を介して、管理部１０３と接続される。光送受信器１０１は、光送受信器１０１から外部へ光信号を送信する送信機能と、外部からの光信号を光送受信器１０１側で受信する受信機能の両方を有していてもよいし、いずれかの一方の機能のみを有していてもよい。
【００１６】
光送受信器１０１は、光送受信器１０１に関する異常を自ら検出したり、光送受信器１０１外から光送受信器１０１に関する異常の通知を受けたりした場合（以降、これらを総じて「異常を検知する」と呼ぶ）、検知した異常等の情報をアラームとして管理部１０３へ通知する。このアラーム通知は、出力端子部１０２を介して行われる。出力端子部１０２から出力されたアラームは、例えば、出力端子部１０２に接続されたケーブル等を介して管理部１０３へ通知され、管理部１０３は、アラームの通知を受けて、光通信装置１００に関する異常を管理する。
【００１７】
次に、図２を用いて、光送受信器１０１の構成をより詳細に説明する。光送受信器１０１は、異常検知部２０１、アラーム通知を行うための出力端子部１０２、出力端子部１０２の電圧を制御する制御部２０２を備える。好適には、外部と光信号の送受信を行う光送受信部２０３を備える。
【００１８】
異常検知部２０１は、光送受信器１０１に関する異常を検知する。異常の数は、一つであってもよいし、一つ以上であってもよい。また、異常の内容を特定できることが望ましい。
【００１９】
出力端子部１０２は、アラーム通知に使用するための２本以上の端子１０２１〜１０２Ｎを含む。好適には、端子１０２１〜１０２Ｎは、光送受信器１０１の外部と電気的に接続する端子である。端子の形状は、各端子が独立して外部と電気的に接続できるものであればよい。例えば、金属製のピン形状のものを用いることができる。その他、プリント基板等の平面的な形状等であってもよい。また、ＩＣチップ用等で用いられるソケット型等であってもよい。
【００２０】
また、端子１０２１〜１０２Ｎは、ケーブル等に差込む側の形状、すなわちオス型の形状をとってもよいし、ケーブル等に差込まれる側の形状、すなわちメス型の形状であってもよい。
【００２１】
制御部２０２は、異常検知部２０１で検知した異常を識別し、識別した異常に応じて端子１０２１〜１０２Ｎに印加する電圧の組み合わせを選択した後、端子１０２１〜１０２Ｎそれぞれの電圧を切り替えるよう制御する。
【００２２】
図３に、制御部２０２の機能を実現する具体的な構成の一例として制御部２０２１を示す。制御部２０２１は、決定部３０１、スイッチ部３０２を備える。決定部３０１は、異常検知部２０１で検知した異常を識別し、識別した異常に応じた複数の端子それぞれに印加する電圧の組み合わせを選択する。スイッチ部３０２は、決定部３０１の選択に従って複数の端子それぞれに電圧を印加する。同図において、異常検知部２０１と制御部２０２１とが別個に光送受信器１０１に備えられているが、異常検知部２０１が制御部２０２１に含まれてもよい。
【００２３】
光送受信部２０３は、外部へ光信号を送信する機能と、外部からの光信号を受信する機能を有する。本実施例において、光送受信部２０３は光信号を送信する機能と受信する機能の両方を有しているが、いずれか一方の機能のみを有していてもよい。すなわち、外部へ光信号を送信する機能のみ、または、外部からの光信号を受信する機能のみを有してもよい。
【００２４】
次に、図４を用いて、管理部１０３の構成を具体的に説明する。管理部１０３は、複数の端子それぞれに印加された電圧の組み合わせを認識する受信部４０１、該電圧の組み合わせに応じた異常を決定する決定部４０２を有する。好適には、管理部１０３は、決定部４０２が決定した異常に応じた制御信号を制御部４０４へ送信する異常処理制御部４０３、制御信号に従い、出力端子部１０２を介して光送受信器１０１の制御を行う制御部４０４、異常検知部２０１で検知する異常と該電圧の組み合わせとの対応を記憶する記憶部４０５、を備える。また、異常処理制御部４０３を管理するための管理端末４０６を、管理部１０３の外部に備えることもできる。
【００２５】
図５に示したフローチャートを参照して、本実施形態に係る光送受信器１０１が管理部１０３へアラームを通知する動作を説明する。
【００２６】
まず、異常検知部２０１が、光送受信器１０１に関連する異常を検知する（Ｓ５０１）。ついで、制御部２０２が、異常検知部２０１が検知した異常に応じて、出力端子部１０２に印加する電圧の組み合わせを選択する（Ｓ５０２）。その後、出力端子部１０２に電圧を印加する（Ｓ５０３）。
【００２７】
次に、図６に示したフローチャートを参照して、本実施形態に係る光送受信器１０１が管理部１０３へアラーム通知する動作をより詳細に説明する。
【００２８】
異常検知部２０１は、光送受信器１０１に関連する異常を検知する。（Ｓ６０１）。異常検知部２０１は、１以上の異常を個別に検知できるようにすることが望ましい。例えば、異常毎の発生が分かるよう、各異常に対応した複数の検知部２０１１〜２０１Ｎ（Ｎ≧２）がそれぞれ対応した異常を検知するようにするとよい。
【００２９】
具体例を挙げて説明すると、送信側光出力断、受信側光入力断、外部変調器異常を検知するようにしたい場合、検知部２０１１は送信側光出力断が発生した場合に検知する、検知部２０１２は受信側光入力断が発生した場合に検知する、検知部２０１３は外部変調器異常が発生した場合に検知する、というように動作させることができる。
【００３０】
図２において、異常検知部２０１と制御部２０２１とが別個に光送受信器１０１に備えられているが、この形態に限られるものではない。例えば、複数の検知部２０１１〜２０１Ｎそれぞれが、分離して各構成に備えられてもよい。具体例を挙げて説明すると、複数の検知部２０１１〜２０１Ｎのうち、光送受信部２０３に関する異常を検知する検知部２０１１が光送受信部２０３に備えられ、制御部２０２に関する異常を検知する検知部２０１２が制御部２０２に備えられるようにしてもよい。
【００３１】
なお、図２に示す光送受信器１０１は、光送受信器１０１の筐体内に異常検知部２０１が備えられているが、光送受信器１０１の筐体外に異常検知部２０１を備えてもよい。その場合、制御部２０２１は、光送受信器１０１の筐体外から、筐体内で異常が発生したことの通知を受ける。より具体的には、制御部２０２１は、出力端子部１０２を介して、筐体外からの異常検知信号を受信する。
【００３２】
また、複数の検知部２０１１〜２０１Ｎのそれぞれが検知する複数の異常は、互いに関連性を持たないように設定すれば、以上を重複して検知してしまうような無駄が生じない。
【００３３】
例えば、検知部２０１１は異常として送信側光出力を、検知部２０１２は異常として受信側光入力を検知するものとする。ここで、送信側の光出力がダウンしたとしても、光信号を受信する機能とは関係がない。従って、送信側の光出力のダウンにより、検知部２０１１のみが異常として送信側光出力を検知する。
【００３４】
制御部２０２１内の決定部３０１は、異常検知部２０１で検知した異常を識別し、識別した異常に応じて複数の端子１０２１〜１０２Ｎそれぞれに印加する電圧の組み合わせ選択する（Ｓ６０２）。
【００３５】
まず、決定部３０１が複数の検知部２０１１〜２０１Ｎで検知した異常を識別する動作について説明する。
【００３６】
例えば、複数の検知部２０１１〜２０１Ｎがそれぞれ対応した異常を検知した場合、制御部２０２１は、異常の発生を検知した検知部より、異常を識別する。具体例を挙げて説明すると、送信側光出力断の発生を検知部２０１１が検知し、ついで、制御部２０２１は、異常の発生を検知した検知部が検知部２０１１であることから、送信側光出力断が発生したことを識別する。
【００３７】
次に、決定部３０１が、識別した異常に応じて、複数の端子１０２１〜１０２Ｎそれぞれに印加する電圧の組み合わせを選択する動作について、図７に示した例を用いて説明する。同図（ａ）は、４つの異常と２つの端子それぞれに印加する電圧の組み合わせとの対応について示す。同図（ａ）の端子１および端子２は図２に示した出力端子部１０２内の所定の端子である。また、端子１および端子２には、制御部２０２、２０２１が選択した、ＨｉｇｈまたはＬｏｗのいずれかに電圧を印加する。
【００３８】
同図（ａ）に示した例を用いて、本動作について具体的に説明する。
【００３９】
同図（ａ）によると、異常が検知されていない状態（以下、「通常時」と呼ぶ）において、端子１にはＬｏｗを選択し、端子２にはＬｏｗを選択する。そして、送信側光出力断が発生し、異常検知部２０１が送信側光出力断を検知した場合、決定部３０１は発生した異常が送信側光出力断であることを識別し、ついで、端子１の電圧としてＨｉｇｈを選択し、端子２の電圧としてＬｏｗを選択する。
【００４０】
また、同図（ａ）のように出力端子部１０２の内の所定の端子全てを使う必要はなく、同図（ｂ）、（ｃ）のようにしてもよい。
【００４１】
本実施形態において、Ｈｉｇｈは端子に所定値より高い電圧が印加されていることを示し、Ｌｏｗは端子に所定値より低い電圧を印加することを示す。しかし、これに限ることはなく、各端子に印加される電圧を区別することができればよい。例えば、端子に印加する電圧の有無で識別してもよい。具体例として、Ｈｉｇｈの場合、端子に所定の電圧が印加されていることを示し、Ｌｏｗの場合、端子に電圧が印加されていないようにしてもよい。
【００４２】
また、印加する電圧は、パルスとして変化させてもよいし、端子に連続して電圧を印加するようにしてもよい。
【００４３】
さらに、上記では、制御部２０２１がＨｉｇｈとＬｏｗの２種類からいずれかを選択する方法を述べたが、これに限るものではなく、３種類以上の印加電圧からいずれかを選択するような構成をとってもよい。この場合の具体例として、３種類からいずれかを選択する構成とした場合、印加する電圧を三段階に分けて、それぞれを対応させればよい。そして、受信側が、電圧の三段階を区別することによって各端子の印加電圧を識別することができる。
【００４４】
すなわち、アラームとして通知する異常と複数の端子それぞれに印加する電圧の組み合わせとが対応していればよい。従って、本実施形態では、選択する電圧としてＨｉｇｈまたはＬｏｗと表現しているが、“１”または“０”、等として表現することもできる。
【００４５】
アラーム通知に使用するための複数の端子１０２１〜１０２Ｎの数を増加させることにより、より多数の異常と複数の端子それぞれに印加する電圧の組み合わせとを対応させることができる。例えば、図８は、異常検知部２０１が検知する複数の異常と３つの端子それぞれに印加する電圧の組み合わせとを対応させた例を示す。このようにすることにより、端子２つを用いた場合と比較して、さらに多くの異常を通知することができる。
【００４６】
さらに、図７（ａ）、（ｂ）、（ｃ）および図８において、一つの異常と複数の端子それぞれに印加する電圧の組み合わせとを一対一で対応させているが、複数の異常と該電圧の組み合わせ一つとを対応させてもよい。具体例を挙げて説明すると、端子１の電圧がＨｉｇｈと端子２の電圧がＬｏｗとは、送信側光出力と波長異常との二つの異常を通知するアラームとしてもよい。
【００４７】
好適には、制御部２０２、２０２１が、異常検知部２０１で検知した異常に応じて該電圧の組み合わせを決定する際、記憶部９０１を参照するようする。図９に、記憶部９０１を備えた光送受信器１０１を示す。記憶部９０１には、異常検知部２０１で検知した異常と該電圧の組み合わせとの対応が記憶されている。
【００４８】
制御部２０２が、複数の端子１０２１〜１０２Ｎそれぞれに印加する電圧の組み合わせを選択する際に、記憶部９０１を参照する動作について説明する。例えば、記憶部９０１は、図７（ａ）に示したような異常検知部２０１で検知した異常と該電圧の組み合わせとの対応を記憶しているとする。まず、制御部２０２は、異常検知部２０１で検知した異常を識別する。ついで、識別した異常を記憶部９０１より検索する。記憶部９０１より、異常を検索した後、異常に対応する該電圧の組み合わせを得、複数の端子１０２１〜１０２Ｎそれぞれに印加する電圧として該電圧の組み合わせを選択する。
【００４９】
このように、光送受信器１０１が記憶部９０１を有するため、管理者は、記憶部９０１を管理することにより、異常検知部２０１で検知する異常と複数の出力端子１０２１〜１０２Ｎそれぞれに印加する電圧の組み合わせとの対応を容易に確認することが可能となる。
【００５０】
なお、記憶部９０１を光送受信器１０１の筐体外に備えても良い。また、光送受信器１０１の筐体内と筐体外とに複数の記憶部を備える構成とすることもできる。記憶部９０１を光送受信器１０１の筐体外に備えた場合、制御部２０２は、例えば出力端子部１０２のアラーム通知に使用されない端子を介して、記憶部と接続し、情報をやり取りすることができる。
【００５１】
制御部２０２１内のスイッチ部３０２が、決定部３０１の選択に従って、複数の端子１０２１〜１０２Ｎそれぞれに電圧を印加する（Ｓ６０３）。
【００５２】
まず、複数の端子１０２１〜１０２Ｎそれぞれの電圧がＨｉｇｈまたはＬｏｗのいずれかとした場合を用いて、スイッチ部３０２が、決定部３０１の選択に従って複数の端子１０２１〜１０２Ｎそれぞれの電圧を切替える動作について図７（ａ）を用いて説明する。
【００５３】
同図（ａ）によると、通常時に応じた２つの端子それぞれの電圧は、端子１がＬｏｗ、端子２がＬｏｗである。従って、光送受信器１０１で異常が発生していない時、決定部３０１は、通常時に応じて端子１の電圧をＬｏｗおよび端子２の電圧をＬｏｗとして選択する。ついで、スイッチ部３０２は、決定部３０１の選択に従って、出力端子１の電圧をＬｏｗ、出力端子２の電圧をＬｏｗに切り替える。ここで、受信側光入力断が発生したとする。受信側光入力断が発生した後、異常検知部２０１は、受信側光入力断を検知する。その後、決定部３０１は、異常検知部２０１が検知した受信側光入力断を識別する。同図（ａ）によると、受信側光入力断に応じた２つの端子それぞれの電圧は、端子１がＬｏｗ、端子２がＨｉｇｈである。従って、受信側光入力断に応じて端子１の電圧をＬｏｗおよび端子２の電圧をＨｉｇｈとして選択する。ついで、スイッチ部３０２は、決定部３０１の選択に従って、端子１の電圧をＬｏｗ、端子２の電圧をＨｉｇｈに切り替える。
【００５４】
次に、複数の端子１０２１〜１０２ＮそれぞれにＨｉｇｈおよびＬｏｗの電圧を印加する方法について、図１０に示す例を参照してより具体的に説明する。上述のようにＨｉｇｈおよびＬｏｗは、電圧が印加されることおよび電圧が印加されないこととする。図１０は、端子１〜３それぞれにＨｉｇｈおよびＬｏｗの電圧を印加するために、出力端子部１０２に印加する電圧の有無を切替えるスイッチ部１０００の具体例を示している。スイッチ部１０００は、スイッチ１００１と、所定の電圧値に設定された電源１００２とからなる。スイッチ１００１は、スイッチ１００１の一方が接地されており、スイッチ１００１のもう一方が電源１００２に接続されている。電源１００２は、Ｈｉｇｈが選択された場合に端子１〜３のそれぞれに印加される電圧を決めている。
【００５５】
本具体例におけるスイッチ部１０００の動作について説明する。上述のように、決定部３０１は、異常検知部２０１が検知した異常に応じて端子１〜３それぞれに印加する電圧の組み合わせを選択する。本具体例では、決定部３０１が選択した、異常検知部２０１が検知した異常に応じて端子１〜３それぞれの電圧は、端子１がＨｉｇｈ、端子２がＬｏｗ、端子３がＬｏｗ、である。次に、スイッチ部１０００は、決定部３０１の選択に従って、スイッチ１００１を切替える。電圧がＨｉｇｈに設定されるスイッチ１００１は電源１００２側に接続され、端子に所定の電圧が印加される。また、電圧がＬｏｗに設定されるスイッチ１００１は接地され、端子には電圧が印加されない状態になる。この結果、端子１には所定の電圧が印加され（Ｈｉｇｈ）、端子２および３には電圧が印加されない（Ｌｏｗ）。
【００５６】
受信部４０１は、複数の端子１０２１〜１０２Ｎそれぞれに印加された電圧の組み合わせを認識する（Ｓ６０４）。受信部４０１が該電圧の組み合わせを認識する方法として様々な形態をとることができる。例えば、複数の端子１０２１〜１０２Ｎの内少なくとも一つの電圧が切り替わった時、受信部４０１が、複数の端子１０２１〜１０２Ｎそれぞれの電圧を認識するようにしてもよい。管理部１０３内にタイマー（図示せず）を備え、受信部４０１が、複数の端子１０２１〜１０２Ｎそれぞれの電圧を一定周期で認識し、認識することもできる。さらに、受信部４０１と光送受信器１０１とを接続する出力端子を別途備え、該出力端子を介して、光送受信器１０１が、複数の端子１０２１〜１０２Ｎそれぞれの電圧が切り替わる時期を受信部４０１に知らせてもよい。すなわち、受信部４０１は、該出力端子より信号を受信した際に、複数の端子１０２１〜１０２Ｎそれぞれの電圧を認識する。受信部４０１が、複数の端子１０２１〜１０２Ｎそれぞれの電圧が切り替わった後に、該電圧を認識できればよい。また、該出力端子は、出力端子部１０２であってもよいし、受信部４０１と光送受信器１０１を直接接続する、出力端子部１０２とは別の出力端子とすることもできる。
【００５７】
決定部４０２は、受信部４０１が認識した、複数の端子１０２１〜１０２Ｎそれぞれに印加された電圧の組み合わせに応じた異常を決定する（Ｓ６０５）。決定部４０２の上述の機能を実現する具体的な構成の一例として、決定部４０２が、該電圧の組み合わせに応じた異常を決定する際、検知部２０１が検知した異常と該電圧の組み合わせとの対応を記憶した記憶部４０５を参照してもよい。
【００５８】
決定部４０２の本動作について具体的に説明する。例えば、記憶部４０５は、図７（ａ）に示したような、複数の端子１０２１〜１０２Ｎそれぞれに印加された電圧の組み合わせと異常との対応を記憶しているものとする。
【００５９】
まず、決定部４０２は、受信部４０１が認識した、複数の端子１０２１〜１０２Ｎそれぞれに印加された電圧の組み合わせを認識する。ついで、記憶部４０５より、該電圧の組み合わせを検索する。該電圧の組み合わせを検索した後、対応する異常を、異常検知部２０１が検知した異常として決定する。
【００６０】
好適には、管理部１０３側の記憶部４０５と光送受信器１０１側の記憶部９０１とを同期させ、それぞれが記憶している、異常と各端子に印加された電圧の組み合わせとの対応に関して整合をとる。例えば、管理者が記憶部４０５と記憶部９０１いずれかの記憶内容を変更した場合は、他方の記憶内容も変更されるようにする。このような構成により、いずれか一方のみを管理すればよいので光通信装置１００の管理が容易となる。
【００６１】
その後、異常処理制御部４０３は、受信部４０１が認識した、複数の端子１０２１〜１０２Ｎそれぞれに印加された電圧の組み合わせに基づいて決定部４０２が決定した異常に応じた処置を講じるようにしてもよい。
【００６２】
処置の具体例としては、管理端末４０６に異常メッセージ等を表示させることで異常が発生したことを管理者へ通知したり、制御信号を光送受信器１０１側に送信して光送受信器１０１の動作を一旦停止したり、同じく制御信号を光送受信器１０１側に送信して回線切り替え、等の制御をしたりすることができる。
【００６３】
好ましくは、異常処理制御部４０３が制御部４０４へ異常に応じた制御信号を送信する際に、記憶部４０５を参照することができる。ここで、記憶部４０５には、光送受信器１０１で発生した異常と異常に応じた処置とが記憶されている。
【００６４】
また、異常処理制御部４０３が制御部４０４へ制御信号を送信する際に、管理者が、管理端末４０６を介して、異常検知部２０１が異常を検知する毎に、異常に応じた制御信号を決定するようにしてもよい。
【００６５】
本実施形態に係る光送受信器１０１は、異常検知部２０１で検知した異常に応じて複数の端子１０２１〜１０２Ｎそれぞれに印加する電圧の組み合わせを切り替えることによって、アラームを管理部１０３へ通知する。ついで、管理部１０３は、該電圧の組み合わせを認識することによって異常を識別することができる。これにより、アラーム通知に必要とされる信号のやりとりの工程を減らし、短時間でアラームを通知することが可能となる。
【００６６】
また、異常検知部２０１が検知する複数の異常と複数の端子１０２１〜１０２Ｎそれぞれに印加する電圧の組み合わせとを一対一で対応させる。これにより、アラーム通知に必要な出力端子部の端子数を減らすことが可能となる。
【００６７】
このように、本実施形態によれば、光送受信器の一つの出力端子に一つの異常通知機能を割り当てたような場合等に起こる出力端子の数が不足するという課題や、一つの端子でシリアル伝送を行いアラームを通知するような場合等に、管理部が異常内容等を認識するまでに比較的時間を要するという課題のいずれかまたは両方を解消することができる。
【００６８】
他の実施形態では、異常検知部２０１で光送受信器１０１に関連する二以上の異常を同時期に検知した場合、制御部２０２が、二以上の異常の内一つを決定し、決定した異常に応じて複数の端子１０２１〜１０２Ｎそれぞれに印加する電圧の組み合わせを選択してもよい。そして、複数の端子１０２１〜１０２Ｎそれぞれに選択された電圧を印加することで、制御部２０２が決定した一つの異常を管理部１０３へ通知する。このように、異常検知部２０１が二以上の異常が同時期に検知した場合であっても、限られた数の端子を用いて、本質的な異常を管理部１０３に通知することが可能となる。
【００６９】
上述の制御部２０２が選択した一つの異常は、所定の優先順位に従って決定された異常であることが望ましい。
【００７０】
例えば、異常検知部２０１で検知された二以上の異常が、波長異常と送信側光出力劣化であったとする。この場合、波長異常のほうが、送信側光出力劣化よりも回線に与える影響が大きい。従って、制御部２０２は、優先的に管理部１０３へ通知する異常として波長異常を選択する。このように、回線に与える影響が大きい、等の理由により複数の異常に所定の優先順位をつけておき、優先順位の高い異常を管理部１０３へアラーム通知することにより、より致命的な異常に対処することが可能となる。
【００７１】
好ましくは、異常検知部２０１で同時期に二以上の異常を検知し、それらの異常に原因と結果の関係がある場合、制御部２０２が、優先順位として、該原因側の異常が該結果側の異常より高く設定するようする。
【００７２】
上述の機能について、具体的に説明する。まず、一つの異常として外部変調器の故障が発生し、外部変調器の故障が原因となって送信側光出力劣化が発生する。すなわち、発生した二以上の異常は、外部変調器故障と送信側光出力劣化である。異常検知部２０１が同時期に外部変調器故障と送信側光出力劣化とを検知した場合、制御部２０２は、二以上の異常の原因となっている一つの異常として外部変調器の故障を選択する。ついで、選択した外部変調器の故障に応じて複数の端子１０２１〜１０２Ｎそれぞれに印加する電圧の組み合わせを選択する。
【００７３】
このように、一つの異常が原因となって光送受信器１０１に関する異常が二以上発生し、異常検知部２０１が二以上の異常を同時期に検知した場合、制御部２０２が、アラーム通知の優先順位として、該原因側の異常が該結果側の異常より高く設定する。このため、本実施形態に係る光送受信器１０１は、二以上の異常の原因である一つの異常のみを管理部１０３へ通知することができる。すなわち、より本質的な異常を管理部１０３に通知することが可能となる。
【００７４】
別の実施形態では、異常検知部２０１が二以上の異常を同時期に検知した場合、制御部２０２が、二以上の異常の内一方の異常に応じて複数の端子１０２１〜１０２Ｎそれぞれに印加する電圧の組み合わせを選択し、ついで、二以上の異常の内他方の異常に応じて複数の端子１０２１〜１０２Ｎとは別の端子が出力する信号を選択するようにしてもよい。
【００７５】
このため、異常検知部２０１が検知した二種類の異常の内本質的な異常と他の異常とを区別して、且つ、同時期に管理部１０３へ通知することが可能となる。
【００７６】
本実施形態に係る光送受信器１０１の動作について、図１１の例を用いて具体的に説明する。
【００７７】
同図は、異常Ａと端子１および端子２それぞれに印加する電圧の組み合わせとの対応および異常Ｂと端子１、端子２および端子３それぞれに印加する電圧の組み合わせとの対応を示す。同図おいて、異常Ａと端子１および端子２それぞれの電圧は、端子１がＨｉｇｈ、端子２がＬｏｗ、である。また、同図において、異常Ｂと端子１、端子２および端子３それぞれの電圧は、端子１がＨｉｇｈ、端子２がＬｏｗ、端子３がＨｉｇｈ、である。
【００７８】
まず、異常検知部２０１が異常Ａおよび異常Ｂを同時期に検知する。制御部２０２は、異常Ａに応じた、端子１および端子２それぞれの電圧の組み合わせを選択する。ついで、異常Ｂに応じて端子１および端子２とは別の端子である端子３の電圧の組み合わせを選択する。その後、端子１〜３それぞれに電圧を印加する。
【００７９】
好ましくは、異常検知部２０１で同時期に二以上の異常を検知し、それらの異常に原因と結果の関係がある場合、制御部２０２が、該原因となる異常を決定し、ついで、決定した異常に応じて複数の端子１０２１〜１０２Ｎそれぞれに印加する電圧の組み合わせと決定した該原因となる異常以外の異常に応じて複数の端子１０２１〜１０２Ｎとは別の端子の電圧を選択する。
【００８０】
このため、二以上の異常の原因である本質的な異常と他の異常を区別し、且つ、同時期に管理部１０３へアラームを通知することが可能となる。
【００８１】
具体的には、まず、異常Ａが発生し、異常Ａが原因となって異常Ｂが発生する。ついで、異常検知部２０１は、異常Ａおよび異常Ｂを同時期に検知する。制御部２０２は、異常Ｂの原因として、異常Ａを決定し、ついで、異常Ａに応じて端子１および２それぞれの電圧の組み合わせを選択する。さらに、異常Ｂに応じて端子３の電圧を選択する。その後、端子１〜３それぞれに電圧を印加する。
【００８２】
本実施形態では、上述の別の端子は、出力端子部１０２に含まれ、アラーム通知に使用されない端子としたが、出力端子部１０２とは別の接続手段であってもよい。
【００８３】
以上好ましい実施形態を挙げて本発明を説明したが、本発明は必ずしも上記実施形態に限定されるものではなく、その技術的思想の範囲内においてさまざまに変形して実施することができる。
【図面の簡単な説明】
【００８４】
【図１】光送受信器と出力端子部を介して光送受信器と接続された光通信装置とを示す機能ブロック図である。
【図２】本発明の実施形態における図１の光送受信器の全体構造を示す機能ブロック図である。
【図３】本発明の実施形態における図２の制御部の一例を示す機能ブロック図である。
【図４】本発明の実施形態における図１の管理部の全体構造を示す機能ブロック図である。
【図５】本発明の実施形態における光送受信器の動作フローを示す図である。
【図６】本発明の実施形態における光送受信器および管理部の動作フローを示す図である。
【図７】異常と複数の端子それぞれに印加する電圧の組み合わせとの対応例について示す図である。
【図８】端子の数が３つの場合における、異常と複数の端子それぞれに印加する電圧の組み合わせとの対応例について示す図である。
【図９】他の実施形態における図１の光送受信器の全体構造を示す機能ブロック図である。
【図１０】複数の端子それぞれの電圧を切替えるスイッチ部の具体例を示す図である。
【図１１】別の実施形態における異常と複数の端子それぞれに印加する電圧の組み合わせとの対応例について示す図である。
【符号の説明】
【００８５】
１００  光通信装置１０１  光送受信器
１０２  出力端子部１０２１〜１０２Ｎ  端子
１０３  管理部２０１  異常検知部
２０１１〜２０１Ｎ  検知部
２０２、２０２１  制御部
２０３  光送受信部
３０１  決定部
３０２、１０００  スイッチ部４０１  受信部４０２  決定部４０３  異常処理制御部４０４  制御部４０５  記憶部４０６  管理端末９０１  記憶部
１００１  スイッチ
１００２  電源
【図１】
2011124670.tif 000003
【図２】
2011124670.tif 000004
【図３】
2011124670.tif 000005
【図４】
2011124670.tif 000006
【図５】
2011124670.tif 000007
【図６】
2011124670.tif 000008
【図７】
2011124670.tif 000009
【図８】
2011124670.tif 000010
【図９】
2011124670.tif 000011
【図１０】
2011124670.tif 000012
【図１１】
2011124670.tif 000013